【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
ダウンホール工具に電力を供給するようになっている電源であって、
制御回路と、約８０℃〜約２１０℃の温度範囲内の温度で作動するように構成される再充電可能なエネルギー貯蔵体とに連結されたエネルギー源
を含み、
前記エネルギー源は、電池、電気エネルギーの外部供給に対する接続、およびダウンホール工具によって経験されるエネルギーを電気エネルギーに変換するように構成される発生機、エネルギー源から電気エネルギーを受け取って前記再充電可能なエネルギー貯蔵体において電気エネルギーを貯蔵するように構成される制御回路の少なくとも１つを含み、
前記再充電可能なエネルギー貯蔵体はウルトラキャパシタを含む、電源。
【請求項２】
前記ウルトラキャパシタが、
少なくとも１対の電極であって、各々の電極はそれぞれ集電体を含み、該電極はセパレータによって離隔される、電極；
前記ウルトラキャパシタに含まれる少なくとも１つの形態の電解質であって、該電解質は電極およびセパレータにおける空所ならびに電極とセパレータとの間の空所を満たす、電解質
を含む電気二重層キャパシタであり、
前記再充電可能なエネルギー貯蔵体の電解質における不純物の総濃度が約１，０００ｐｐｍより小さく、前記再充電可能なエネルギー貯蔵体の体積漏れ電流が、前記温度範囲内において約１，０００ｍＡ／Ｌより小さい、請求項１に記載の電源。
【請求項３】
前記少なくとも１対の電極の少なくとも一方が、前記再充電可能なエネルギー貯蔵体をもたらすために炭素ベースのエネルギー貯蔵媒体を用いており、該エネルギー貯蔵媒体はカーボンナノチューブから形成される、請求項２に記載の電源。
【請求項４】
前記再充電可能なエネルギー貯蔵体が、約５．０×１０−６ａｔｍ−ｃｃ／秒以下の漏れ速度を示す密封を含む、請求項１〜３のいずれか１項に記載の電源。
【請求項５】
前記ウルトラキャパシタが、約−４０℃〜約２１０℃の温度で効果的に動作可能であり、前記ウルトラキャパシタの最大定格電圧は、約４Ｖと約０．５Ｖに至るまでとの間である、請求項１〜４のいずれか１項に記載の電源。
【請求項６】
前記制御回路が第１および第２のサブシステムを含み、各々のサブシステムは第１のスイッチ素子、第２のスイッチ素子およびフィルターを有し、
前記第１のスイッチ素子および前記第２のスイッチ素子の相対的オンタイムは相補的方法で作動する、請求項１〜５のいずれか１項に記載の電源。
【請求項７】
前記第２のサブシステムがＤＣ−ＤＣまたはＤＣ−ＡＣのいずれかの電力変換装置を含み、該電力変換装置は、バック、ブースト、バックブースト、フライバック、フォワードおよびスイッチドキャパシタ、Ｃｕｋおよびバックブーストを含む非孤立変換装置の孤立型、ならびにバック＋ブーストを含むそのようないずれかの変換装置のカスケードの少なくとも１つを含む形態である、請求項６に記載の電源。
【請求項８】
前記発生機および前記ウルトラキャパシタを含む電子機器が、デュアルモードのフィードバック調節降圧型（下方）変換装置であって前記ウルトラキャパシタにおいて低電圧の場合にそれ自体の電流を制限し且つその電圧を調節する変換装置も含む、請求項１〜７のいずれか１項に記載の電源。
【請求項９】
安定した電圧母線を提供するための幅広い入力電圧フィードバック調節昇圧型（上方）変換を実施するのに適したトポロジーを有する、調節された直流／直流変換装置を更に含む、請求項１〜８のいずれか１項に記載の電源。
【請求項１０】
前記第２のサブシステムが、前記再充電可能なエネルギー貯蔵体によって示される電圧の変動にも関わらず、検層機器に運ばれる電圧または電流を調節する、請求項６に記載の電源。
【請求項１１】
前記制御回路が、種々の特性をモニタリングおよび制御するための構成要素を含むフィードバック制御器を更に含む、請求項１〜１０のいずれか１項に記載の電源。
【請求項１２】
前記種々の特性が、周波数補償、パルス幅変調、むだ時間保護、負荷サイクル制限またはソフトスタートの提供のための構成要素を含む、請求項１１に記載の電源。
【請求項１３】
前記第１のサブシステムおよび前記第２のサブシステムが、一緒に且つ前記再充電可能なエネルギー貯蔵体に連結されており、前記電気エネルギーの外部供給の端子電圧が、負荷の端子電圧と比較したときに、前記再充電可能なエネルギー貯蔵体の端子電圧が両方より小さい値である限りにおいて、より大きい値またはより小さい値のいずれかである、請求項６に記載の電源。
【請求項１４】
前記電源が、電荷を引き出し且ついくつかの場合においてパルス負荷を引き出す負荷にも関わらず、前記再充電可能なエネルギー貯蔵体における電荷を保持するために実質的に連続的な出力を提供するように構成される少なくとも１つのエネルギー源を含む、請求項１〜１３のいずれか１項に記載の電源。
【請求項１５】
約８０℃〜約２１０℃の温度範囲内の温度で作動するように構成されるダウンホール工具に電力を供給するために請求項１〜１４のいずれか１項に記載の電源を用いる工程を含む、方法。
【手続補正２】
【補正対象書類名】明細書
【補正対象項目名】０２９２
【補正方法】変更
【補正の内容】
【０２９２】
例示的実施形態を参照して本発明を説明してきたが、本発明の範囲から逸脱することなく種々の変更を行ってよく、本発明の要素を均等物で置き換えてよいことが当業者に理解されるだろう。加えて、本発明の本質的な範囲から逸脱することなく特定の機器、状況または材料を本発明の教示事項に適合させるために多数の変形が当業者に理解されるだろう。従って、本発明は本発明を実施するために検討される最良の形態として開示される特定の実施形態に限定されず、本発明は添付の特許請求の範囲の範囲内に該当する全ての実施形態を含むであろうことが意図される。
本願発明は以下の態様を含む。
（態様１）
ダウンホール工具に電力を供給するようになっている電源であって、
制御回路と、約８０℃〜約２１０℃の温度範囲内の温度で作動するように構成される再充電可能なエネルギー貯蔵体とに連結されたエネルギー源
を含み、
前記エネルギー源は、電池、電気エネルギーの外部供給に対する接続、およびダウンホール工具によって経験されるエネルギーを電気エネルギーに変換するように構成される発生機、エネルギー源から電気エネルギーを受け取って前記エネルギー貯蔵体において電気エネルギーを貯蔵するための制御回路の少なくとも１つを含む、電源。
（態様２）
温度範囲が約９０℃〜約２１０℃である、態様１に記載の電源。
（態様３）
温度範囲が約８０℃〜約１５０℃である、態様１に記載の電源。
（態様４）
エネルギー貯蔵体がウルトラキャパシタを含む、態様１に記載の電源。
（態様５）
ウルトラキャパシタが前記温度範囲内の部分範囲において動作可能であり、該部分範囲が約１０℃である、態様４に記載の電源。
（態様６）
エネルギー貯蔵セルが正極および負極を含む、態様４に記載の電源。
（態様７）
少なくとも１つの電極が炭素質エネルギー貯蔵媒体を含む、態様４に記載の電源。
（態様８）
炭素質エネルギー貯蔵媒体がカーボンナノチューブを含む、態様７に記載の電源。
（態様９）
炭素質エネルギー貯蔵媒体が、活性炭、炭素繊維、レーヨン、グラフェン、エアロゲル、炭素布および複数の形態のカーボンナノチューブの少なくとも１つを含む、態様７に記載の電源。
（態様１０）
各電極が集電体を含む、態様７に記載の電源。
（態様１１）
エネルギー貯蔵体の電解質におけるハロゲン化物イオンの含有量が約１，０００ｐｐｍより小さい、態様１に記載の電源。
（態様１２）
エネルギー貯蔵体の電解質におけるハロゲン化物イオンの含有量が約５００ｐｐｍより小さい、態様１に記載の電源。
（態様１３）
エネルギー貯蔵体の電解質におけるハロゲン化物イオンの含有量が約１００ｐｐｍより小さい、態様１に記載の電源。
（態様１４）
エネルギー貯蔵体の電解質におけるハロゲン化物イオンの含有量が約５０ｐｐｍより小さい、態様１に記載の電源。
（態様１５）
エネルギー貯蔵体の電解質が、塩化物、臭化物、フッ化物およびヨウ化物の少なくとも１つを含むハロゲン化物イオンを含む、態様１に記載の電源。
（態様１６）
エネルギー貯蔵体の電解質が、約１，０００ｐｐｍより小さい総濃度の金属種を含む、態様１に記載の電源。
（態様１７）
金属種が、Ｂｒ、Ｃｄ、Ｃｏ、Ｃｒ、Ｃｕ、Ｆｅ、Ｋ、Ｌｉ、Ｍｏ、Ｎａ、Ｎｉ、Ｐｂ、Ｚｎ、上述のいずれかの合金および上述のいずれかの酸化物の少なくとも１つを含む、態様１６に記載の電源。
（態様１８）
エネルギー貯蔵体の電解質における不純物の総濃度が約１，０００ｐｐｍより小さい、態様１に記載の電源。
（態様１９）
不純物が、ブロモエタン、クロロエタン、１−ブロモブタン、１−クロロブタン、１−メチルイミダゾール、酢酸エチルおよび塩化メチレンの少なくとも１つを含む、態様１８に記載の電源。
（態様２０）
エネルギー貯蔵体の電解質における総含水量が約５００ｐｐｍより小さい、態様１に記載の電源。
（態様２１）
エネルギー貯蔵体の電解質における総含水量が約１００ｐｐｍより小さい、態様１に記載の電源。
（態様２２）
エネルギー貯蔵体の電解質における総含水量が約５０ｐｐｍより小さい、態様１に記載の電源。
（態様２３）
エネルギー貯蔵体の電解質における総含水量が約２０ｐｐｍより小さい、態様１に記載の電源。
（態様２４）
エネルギー貯蔵体の電解質におけるカチオンが、１−（３−シアノプロピル）−３−メチルイミダゾリウム、１，２−ジメチル−３−プロピルイミダゾリウム、１，３−ビス（３−シアノプロピル）イミダゾリウム、１，３−ジエトキシイミダゾリウム、１−ブチル−１−メチルピペリジニウム、１−ブチル−２，３−ジメチルイミダゾリウム、１−ブチル−３−メチルイミダゾリウム、１−ブチル−４−メチルピリジニウム、１−ブチルピリジニウム、１−デシル−３−メチルイミダゾリウム、１−エチル−３−メチルイミダゾリウムおよび３−メチル−１−プロピルピリジニウムを含む群から選択される、態様１に記載の電源。
（態様２５）
エネルギー貯蔵体の電解質におけるカチオンは、アンモニウム、イミダゾリウム、オキサゾリウム、ホスホニウム、ピペリジニウム、ピラジニウム、ピラジニウム、ピリダジニウム、ピリジニウム、ピリミジニウム、ピロリジニウム、スルホニウム、チアゾリウム、トリアゾリウム、グアニジウム、イソキノリニウム、ベンゾトリアゾリウム、ビオロゲン型および官能性イミダゾリウムカチオンを含む群から選択される、態様１に記載の電源。
（態様２６）
カチオンの少なくとも１つの分岐基（Ｒｘ）が、アルキル、ヘテロアルキル、アルケニル、ヘテロアルケニル、アルキニル、ヘテロアルキニル、ハロ、アミノ、ニトロ、シアノ、ヒドロキシル、サルフェート、スルホネートおよびカルボニル基を含む群から選択される、態様２５に記載の電源。
（態様２７）
アルキルが、飽和脂肪族基、直鎖アルキル基、分枝鎖アルキル基、シクロアルキル（脂環式）基、アルキル置換シクロアルキル基、およびシクロアルキル置換アルキル基を含む群から選択される、態様２６に記載の電源。
（態様２８）
アルキルが、メチル、エチル、プロピル、ブチル、ペンチル、ヘキシル、エチルヘキシル、シクロプロピル、シクロブチル、シクロペンチルおよびシクロヘキシルを含む群から選択される、態様２６に記載の電源。
（態様２９）
ヘテロアルキルが、少なくとも１つのヘテロ原子を含有するアルキル基を含む、態様２６に記載の電源。
（態様３０）
ヘテロ原子が、酸素、窒素および硫黄を含む群から選択される、態様２９に記載の電源。
（態様３１）
アルキル基およびアルキニル基が脂肪族基を含む、態様２６に記載の電源。
（態様３２）
脂肪族基が、二重結合および三重結合の少なくとも一方を含む、態様２６に記載の電源。
（態様３３）
エネルギー貯蔵体の電解質が、−Ｆ−、−Ｃｌ−、−Ｂｒ−、−Ｉ−、−ＯＣＨ３−、−ＣＮ−、−ＳＣＮ−、−Ｃ２Ｈ３Ｏ２−、−ＣｌＯ−、−ＣｌＯ２−、−ＣｌＯ３−、−ＣｌＯ４−、−ＮＣＯ−、−ＮＣＳ−、−ＮＣＳｅ−、−ＮＣＮ−、−ＯＣＨ（ＣＨ３）２−、−ＣＨ２ＯＣＨ３−、−ＣＯＯＨ−、−ＯＨ−、−ＳＯＣＨ３−、−ＳＯ２ＣＨ３−、−ＳＯＣＨ３−、−ＳＯ２ＣＦ３−、−ＳＯ３Ｈ−、−ＳＯ３ＣＦ３−、−Ｏ（ＣＦ３）２Ｃ２（ＣＦ３）２Ｏ−、−ＣＦ３−、−ＣＨＦ２−、−ＣＨ２Ｆ−、−ＣＨ３−、−ＮＯ３−、−ＮＯ２−、−ＳＯ３−、−ＳＯ４２−、−ＳＦ５−、−ＣＢ１１Ｈ１２−、−ＣＢ１１Ｈ６Ｃ１６−、−ＣＨ３ＣＢ１１Ｈ１１−および−Ｃ２Ｈ５ＣＢ１１Ｈ１１−を含む群から選択されるアニオンを含む、態様１に記載の電源。
（態様３４）
エネルギー貯蔵体の電解質が、Ａ−ＰＯ４−、−Ａ−ＳＯ２−、Ａ−ＳＯ３−、−Ａ−ＳＯ３Ｈ−、−Ａ−ＣＯＯ−、−Ａ−ＣＯ−を含む群から選択されるアニオンを含み、Ａは、フェニル基、置換フェニル、アルキル基、置換アルキル基、負の電荷を帯びたラジカルアルカン、ハロゲン化アルカンおよびエーテルの１つである、態様１に記載の電源。
（態様３５）
エネルギー貯蔵体の電解質が、それぞれの数の置換基と結合した基礎構造を有するアニオンを含む、態様１に記載の電源。
（態様３６）
基礎構造が、Ｎ、Ｏ、ＣＯ、ＳＯ、Ｂｅ、Ｃ、Ｍｇ、Ｃａ、Ｂａ、Ｒａ、Ａｕ、Ｂ、Ａｌ、Ｇａ、Ｔｈ、Ｉｎ、Ｐ、Ｓ、Ｓｂ、Ａｓ、Ｎ、Ｂｉ、ＮｂおよびＳｂの１つを含む、態様３５に記載の電源。
（態様３７）
それぞれの数の置換基が、少なくとも２つである、態様３５に記載の電源。
（態様３８）
置換基が、別種および反復的の一方である、態様３７に記載の電源。
（態様３９）
エネルギー貯蔵体の電解質が、基礎構造（Ｙ２）およびそれに結合する２つの置換基（α２）を含むアニオンを含む、態様１に記載の電源。
（態様４０）
エネルギー貯蔵体の電解質が、基礎構造（Ｙ２）および２つの置換基（α２）を含むアニオンを含み、基礎構造（Ｙ２）は、Ｎ、Ｏ、ＣＯおよびＳＯからなる群から選択され、２つの置換基（α２）の各々は、−Ｆ−、−Ｃｌ−、−Ｂｒ−、−Ｉ−、−ＯＣＨ３−、−ＣＮ−、−ＳＣＮ−、−Ｃ２Ｈ３Ｏ２−、−ＣｌＯ−、−ＣｌＯ２−、−ＣｌＯ３−、−ＣｌＯ４−、−ＮＣＯ−、−ＮＣＳ−、−ＮＣＳｅ−、−ＮＣＮ−、−ＯＣＨ（ＣＨ３）２−、−ＣＨ２ＯＣＨ３−、−ＣＯＯＨ−、−ＯＨ−、−ＳＯＣＨ３−、−ＳＯ２ＣＨ３−、−ＳＯＣＨ３−、−ＳＯ２ＣＦ３−、−ＳＯ３Ｈ−、−ＳＯ３ＣＦ３−、−Ｏ（ＣＦ３）２Ｃ２（ＣＦ３）２Ｏ−、−ＣＦ３−、−ＣＨＦ２−、−ＣＨ２Ｆ−、−ＣＨ３−、−ＮＯ３−、−ＮＯ２−、−ＳＯ３−、−ＳＯ４２−、−ＳＦ５−，−ＣＢ１１Ｈ１２−、−ＣＢ１１Ｈ６Ｃｌ６−、−ＣＨ３ＣＢ１１Ｈ１１−および−Ｃ２Ｈ５ＣＢ１１Ｈ１１−ならびにＡ−ＰＯ４−、−Ａ−ＳＯ２−、Ａ−ＳＯ３−、−Ａ−ＳＯ３Ｈ−、−Ａ−ＣＯＯ−、−Ａ−ＣＯ−からなる群から選択され、Ａは、フェニル基、置換フェニル、アルキル基、置換アルキル基、負の電荷を帯びたラジカルアルカン、ハロゲン化アルカンおよびエーテルの１つである、態様１に記載の電源。
（態様４１）
エネルギー貯蔵体の電解質が、基礎構造（Ｙ３）およびそれに結合する３つの置換基（α３）を含むアニオンを含む、態様１に記載の電源。
（態様４２）
エネルギー貯蔵体の電解質が、基礎構造（Ｙ３）および３つの置換基（α３）を含むアニオンを含み、基礎構造（Ｙ３）は、Ｂｅ、Ｃ、Ｎ、Ｏ、Ｍｇ、Ｃａ、Ｂａ、Ｒａ、Ａｕからなる群から選択され、３つの置換基（α３）の各々は、−Ｆ−、−Ｃｌ−、−Ｂｒ−、−Ｉ−、−ＯＣＨ３−、−ＣＮ−、−ＳＣＮ−、−Ｃ２Ｈ３Ｏ２−、−ＣｌＯ−、−ＣｌＯ２−、−ＣｌＯ３−、−ＣｌＯ４−、−ＮＣＯ−、−ＮＣＳ−、−ＮＣＳｅ−、−ＮＣＮ−、−ＯＣＨ（ＣＨ３）２−、−ＣＨ２ＯＣＨ３−、−ＣＯＯＨ−、−ＯＨ−、−ＳＯＣＨ３−、−ＳＯ２ＣＨ３−、−ＳＯＣＨ３−、−ＳＯ２ＣＦ３−、−ＳＯ３Ｈ−、−ＳＯ３ＣＦ３−、−Ｏ（ＣＦ３）２Ｃ２（ＣＦ３）２Ｏ−、−ＣＦ３−、−ＣＨＦ２−、−ＣＨ２Ｆ−、−ＣＨ３−、−ＮＯ３−、−ＮＯ２−、−ＳＯ３−、−ＳＯ４２−、−ＳＦ５−，−ＣＢ１１Ｈ１２−、−ＣＢ１１Ｈ６Ｃ１６−、−ＣＨ３ＣＢ１１Ｈ１１−および−Ｃ２Ｈ５ＣＢ１１Ｈ１１−ならびにＡ−ＰＯ４−、−Ａ−ＳＯ２−、Ａ−ＳＯ３−、−Ａ−ＳＯ３Ｈ−、−Ａ−ＣＯＯ−、−Ａ−ＣＯ−からなる群から選択され、Ａは、フェニル基、置換フェニル、アルキル基、置換アルキル基、負の電荷を帯びたラジカルアルカン、ハロゲン化アルカンおよびエーテルの１つである、態様１に記載の電源。
（態様４３）
エネルギー貯蔵体の電解質が、基礎構造（Ｙ４）およびそれに結合する４つの置換基（α４）を含むアニオンを含む、態様１に記載の電源。
（態様４４）
エネルギー貯蔵体の電解質が、基礎構造（Ｙ４）および４つの置換基（α４）を含むアニオンを含み、基礎構造（Ｙ４）はＢ、Ａｌ、Ｇａ、Ｔｈ、Ｉｎ、Ｐからなる群から選択され、４つの置換基（α４）の各々は−Ｆ−、−Ｃｌ−、−Ｂｒ−、−Ｉ−、−ＯＣＨ３−、−ＣＮ−、−ＳＣＮ−、−Ｃ２Ｈ３Ｏ２−、−ＣｌＯ−、−ＣｌＯ２−、−ＣｌＯ３−、−ＣｌＯ４−、−ＮＣＯ−、−ＮＣＳ−、−ＮＣＳｅ−、−ＮＣＮ−、−ＯＣＨ（ＣＨ３）２−、−ＣＨ２ＯＣＨ３−、−ＣＯＯＨ−、−ＯＨ−、−ＳＯＣＨ３−、−ＳＯ２ＣＨ３−、−ＳＯＣＨ３−、−ＳＯ２ＣＦ３−、−ＳＯ３Ｈ−、−ＳＯ３ＣＦ３−、−Ｏ（ＣＦ３）２Ｃ２（ＣＦ３）２Ｏ−、−ＣＦ３−、−ＣＨＦ２−、−ＣＨ２Ｆ−、−ＣＨ３−、−ＮＯ３−、−ＮＯ２−、−ＳＯ３−、−ＳＯ４２−、−ＳＦ５−，−ＣＢ１１Ｈ１２−、−ＣＢ１１Ｈ６Ｃ１６−、−ＣＨ３ＣＢ１１Ｈ１１−および−Ｃ２Ｈ５ＣＢ１１Ｈ１１−ならびにＡ−ＰＯ４−、−Ａ−ＳＯ２−、Ａ−ＳＯ３−、−Ａ−ＳＯ３Ｈ−、−Ａ−ＣＯＯ−、−Ａ−ＣＯ−からなる群から選択され、Ａは、フェニル基、置換フェニル、アルキル基、置換アルキル基、負の電荷を帯びたラジカルアルカン、ハロゲン化アルカンおよびエーテルの１つである、態様１に記載の電源。
（態様４５）
エネルギー貯蔵体の電解質が、基礎構造（Ｙ６）およびそれに結合する６つの置換基（α６）を含むアニオンを含む、態様１に記載の電源。
（態様４６）
エネルギー貯蔵体の電解質が、基礎構造（Ｙ６）および６つの置換基（α６）を含むアニオンを含み、基礎構造（Ｙ６）はＰ、Ｓ、Ｓｂ、Ａｓ、Ｎ、Ｂｉ、Ｎｂ、Ｓｂからなる群から選択され、６つの置換基（α６）の各々は−Ｆ−、−Ｃｌ−、−Ｂｒ−、−Ｉ−、−ＯＣＨ３−、−ＣＮ−、−ＳＣＮ−、−Ｃ２Ｈ３Ｏ２−、−ＣｌＯ−、−ＣｌＯ２−、−ＣｌＯ３−、−ＣｌＯ４−、−ＮＣＯ−、−ＮＣＳ−、−ＮＣＳｅ−、−ＮＣＮ−、−ＯＣＨ（ＣＨ３）２−、−ＣＨ２ＯＣＨ３−、−ＣＯＯＨ−、−ＯＨ−、−ＳＯＣＨ３−、−ＳＯ２ＣＨ３−、−ＳＯＣＨ３−、−ＳＯ２ＣＦ３−、−ＳＯ３Ｈ−、−ＳＯ３ＣＦ３−、−Ｏ（ＣＦ３）２Ｃ２（ＣＦ３）２Ｏ−、−ＣＦ３−、−ＣＨＦ２−、−ＣＨ２Ｆ−、−ＣＨ３−、−ＮＯ３−、−ＮＯ２−、−ＳＯ３−、−ＳＯ４２−、−ＳＦ５−，−ＣＢ１１Ｈ１２−、−ＣＢ１１Ｈ６Ｃ１６−、−ＣＨ３ＣＢ１１Ｈ１１−および−Ｃ２Ｈ５ＣＢ１１Ｈ１１−ならびにＡ−ＰＯ４−、−Ａ−ＳＯ２−、Ａ−ＳＯ３−、−Ａ−ＳＯ３Ｈ−、−Ａ−ＣＯＯ−、−Ａ−ＣＯ−からなる群から選択され、Ａは、フェニル基、置換フェニル、アルキル基、置換アルキル基、負の電荷を帯びたラジカルアルカン、ハロゲン化アルカンおよびエーテルの１つである、態様１に記載の電源。
（態様４７）
エネルギー貯蔵体の電解質が溶媒である、態様１に記載の電源。
（態様４８）
溶媒が、アセトニトリル、アミド、ベンゾニトリル、ブチロラクトン、環状エーテル、ジブチルカーボナート、ジエチルカーボナート、ジエチルエーテル、ジメトキシエタン、ジメチルカーボナート、ジメチルホルムアミド、ジメチルスルホン、ジオキサン、ジオキソラン、ギ酸エチル、エチレンカーボナート、エチルメチルカーボナート、ラクトン、直鎖エーテル、ギ酸メチル、メチルプロピオナート、メチルテトラヒドロフラン、ニトリル、ニトロベンゼン、ニトロメタン、ｎ−メチルピロリドン、プロピレンカーボナート、スルホラン、スルホン、テトラヒドロフラン、テトラメチレンスルホン、チオフェン、エチレングリコール、ジエチレングリコール、トリエチレングリコール、ポリエチレングリコール、炭酸エーテル、γ−ブチロラクトン、ニトリルおよびトリシアノヘキサンの少なくとも１つを含む、態様４７に記載の電源。
（態様４９）
エネルギー貯蔵体を収容するためのハウジングが、その内面の大部分の上に配置される障壁を含む、態様１に記載の電源。
（態様５０）
障壁が、ポリテトラフルオロエチレン（ＰＴＦＥ）、パーフルオロアルコキシ（ＰＦＡ）、フッ素化エチレンプロピレン（ＦＥＰ）、エチレンテトラフルオロエチレン（ＥＴＦＥ）の少なくとも１つを含む、態様４９に記載の電源。
（態様５１）
障壁がセラミック材料を含む、態様４９に記載の電源。
（態様５２）
障壁が、耐食性、所望の誘電特性および低い電気化学的反応性の少なくとも１つを示す材料を含む、態様４９に記載の電源。
（態様５３）
障壁が、材料の多層を含む、態様４９に記載の電源。
（態様５４）
ハウジングが多層材料を含む、態様４９に記載の電源。
（態様５５）
多層材料が、第２の材料の上を被覆した第１の材料を含む、態様５４に記載の電源。
（態様５６）
多層材料が、スチール、タンタルおよびアルミニウムの少なくとも１つを含む、態様５４に記載の電源。
（態様５７）
ハウジングが少なくとも１つの半球状のシールを含む、態様４９に記載の電源。
（態様５８）
ハウジングが少なくとも１つのガラス−金属シールを含む、態様４９に記載の電源。
（態様５９）
ガラス−金属シールのピンが電気的接触をもたらす、態様５８に記載の電源。
（態様６０）
鉄−ニッケル−コバルト合金、ニッケル鉄合金、タンタル、モリブデン、ニオブ、タングステン、ステンレスの一の形態およびチタンの１つを含む、態様５９に記載の電源。
（態様６１）
ガラス−金属シールが、ニッケル、モリブデン、クロム、コバルト、鉄、銅、マンガン、チタン、ジルコニウム、アルミニウム、炭素およびタングステンならびにこれらの合金の少なくとも１つを含むボディを含む、態様５９に記載の電源。
（態様６２）
エネルギー貯蔵体のエネルギー貯蔵セルが、正極と負極との間の電気的離隔をもたらすセパレータを含む、態様１に記載の電源。
（態様６３）
ポリアミド、ポリテトラフルオロエチレン（ＰＴＦＥ）、ポリエーテルエーテルケトン（ＰＥＥＫ）、酸化アルミニウム（Ａｌ２Ｏ３）、ガラス繊維およびガラス繊維強化プラスチックの１つを含む、態様６２に記載の電源。
（態様６４）
セパレータが実質的に水分を含まない、態様６２に記載の電源。
（態様６５）
セパレータが実質的に疎水性である、態様６２に記載の電源。
（態様６６）
エネルギー貯蔵体が、約５．０×１０−６ａｔｍ−ｃｃ／秒以下の漏れ速度を示す密封を含む、態様１に記載の電源。
（態様６７）
エネルギー貯蔵体が、約５．０×１０−７ａｔｍ−ｃｃ／秒以下の漏れ速度を示す密封を含む、態様１に記載の電源。
（態様６８）
エネルギー貯蔵体が、約５．０×１０−８ａｔｍ−ｃｃ／秒以下の漏れ速度を示す密封を含む、態様１に記載の電源。
（態様６９）
エネルギー貯蔵体が、約５．０×１０−９ａｔｍ−ｃｃ／秒以下の漏れ速度を示す密封を含む、態様１に記載の電源。
（態様７０）
エネルギー貯蔵体が、約５．０×１０−１０ａｔｍ−ｃｃ／秒以下の漏れ速度を示す密封を含む、態様１に記載の電源。
（態様７１）
エネルギー貯蔵体の体積漏れ電流が、前記温度範囲内において約１，０００ｍＡ／Ｌ未満である、態様１に記載の電源。
（態様７２）
エネルギー貯蔵体の体積漏れ電流が、特定の電圧範囲にわたって約１，０００ｍＡ／Ｌ未満である、態様１に記載の電源。
（態様７３）
エネルギー貯蔵体が、再充電可能なエネルギー貯蔵体に加えて少なくとも１つの電池を含む、態様１に記載の電源。
（態様７４）
電池が再充電可能でない、態様７３に記載の電源。
（態様７５）
複数の発生機を更に含み、各発生機が、特定の方向の振動エネルギーを取り入れるように配列される、態様１に記載の電源。
（態様７６）
外部磁場を低減すること及び実質的に除去することの少なくとも一方のためのシールドを更に含む、態様１に記載の電源。
（態様７７）
エネルギー貯蔵体を電源として使用することから電力発生をもたらすための回路を更に含む、態様１に記載の電源。
（態様７８）
発生した電力が、交流（ＡＣ）および直流（ＤＣ）の一方を含む、態様７７に記載の電源。
（態様７９）
発生機が振動エネルギー発生機を含む、態様１に記載の電源。
（態様８０）
発生機が、少なくとも１つの調節可能なバイアス機器を含む、態様７９に記載の電源。
（態様８１）
少なくとも１つの調節可能なバイアス機器が、調節可能な磁石、電磁石、圧電素子および同調可能なばね要素の１つを含む、態様８０に記載の電源。
（態様８２）
少なくとも１つの調節可能なバイアス機器を制御するための少なくとも１つの同調回路を更に含む、態様８０に記載の電源。
（態様８３）
少なくとも１つの同調回路がマイクロプロセッサを含む、態様８０に記載の電源。
（態様８４）
発生機が、回転発電機、電磁変位発生機、磁歪変位発生機、圧電発電機、熱電発電機、熱光起電発生機および放射性同位体エネルギー発生機の少なくとも１つを含む、態様１に記載の電源。
（態様８５）
電池が、リチウム−チオニル−塩化物電池、リチウム−臭素−塩化物電池、リチウム−スルフリル−塩化物電池および融解塩電池の少なくとも１つを含む、態様１に記載の電源。
（態様８６）
外部供給が遠隔電気エネルギー源との接続を含み、前記接続は、有線接続、配線ケーシング接続、配線管接続およびコイルドチュービング接続の１つを含む、態様１に記載の電源。
（態様８７）
ダウンホール工具の電源の製造方法であって、
少なくとも１つのエネルギー源、約８０℃〜約２１０℃の温度範囲内の温度で作動するように構成される再充電可能なエネルギー貯蔵体、および発生機からの電気エネルギーを受け取ってエネルギー貯蔵体において電気エネルギーを貯蔵するようになっている制御回路を選択すること；ならびに
エネルギー源、制御回路およびエネルギー貯蔵体をダウンホール工具に組み込んで電源を提供すること
を含む、方法。
（態様８８）
エネルギー源が、電池、電気エネルギーの外部供給に対する接続、およびダウンホール工具によって経験されるエネルギーを電気エネルギーに変換するように構成される発生機の少なくとも１つを含む、態様８７に記載の方法。
（態様８９）
複数のエネルギー発生機を電源に組み込むことを更に含み、各発生機は、所定の方向の振動エネルギーを取り入れるように配向される、態様８７に記載の方法。
（態様９０）
選択することが、回転発電機、電磁変位発生機、磁歪変位発生機、圧電発電機、熱電発電機、熱光起電発生機、遠隔電源に対する接続および放射性同位体エネルギー発生機の少なくとも１つを選択することを含む、態様８７に記載の方法。
（態様９１）
選択することが、電池、および外部エネルギー供給に対する接続の少なくとも一方を選択することを含む、態様８７に記載の方法。
（態様９２）
干渉磁場を低減すること及び実質的に除去することの少なくとも一方のために、遮蔽を電源およびダウンホール工具の少なくとも一方に組み込むことを更に含む、態様８７に記載の方法。
（態様９３）
前記温度範囲内で作動するために、エネルギー発生機および制御回路の少なくとも一方を選択することを更に含む、態様８７に記載の方法。
（態様９４）
回路を組み込んでエネルギー貯蔵体からの電力発生を負荷に提供することを更に含む、態様８７に記載の方法。
（態様９５）
エネルギー貯蔵体を選択することが、密封されたハウジング内にエネルギー貯蔵セルおよび電解質を含むウルトラキャパシタを選択することを含み、セルは、正接触子および負接触子に電気的に連結され、ウルトラキャパシタは、約８０℃〜約２１０℃の温度範囲内の温度で作動するように構成される、態様８７に記載の方法。
（態様９６）
ダウンホール工具に電力を供給する方法であって、
制御回路と、約８０℃〜約２１０℃の温度範囲内の温度で作動するように構成される高温で再充電可能なエネルギー貯蔵体とに連結されるエネルギー源を備える電源を含む工具を選択することであって、エネルギー源は、電池、電気エネルギーの外部供給に対する接続、およびダウンホール工具によって経験されるエネルギーを電気エネルギーに変換するように構成される発生機、エネルギー源からの電気エネルギーを受け取ってエネルギー貯蔵体において電気エネルギーを貯蔵するための制御回路の少なくとも１つを含む、こと；ならびに
電源からの電力を、ダウンホール工具を備える負荷に供給すること
を含む、方法。
（態様９７）
変換することが、振動エネルギー発生機、回転発電機、電磁変位発生機、磁歪変位発生機、圧電発電機、熱電発電機、熱光起電発生機、遠隔電源に対する接続および放射性同位体エネルギー発生機の少なくとも１つを操作することを含む、態様９６に記載の方法。
（態様９８）
負荷が、電子回路、変圧器、増幅器、サーボ、プロセッサ、データ記憶装置、ポンプ、モーター、センサ、熱同調センサ、光学センサ、変換器、ファイバー光学、光源、シンチレータ、パルサー、油圧アクチュエータ、アンテナ、シングルチャンネル分析器、マルチチャンネル分析器、放射線検出器、加速度計および磁力計の少なくとも１つを含む、態様９６に記載の方法。
（態様９９）
工具が、芯加工工具、閉鎖工具、核磁気共鳴イメージング（ＮＭＲ）工具、電磁気（ＥＭ）遠隔測定工具、マッドパルサー遠隔測定工具、抵抗率測定工具、ガンマ感知工具、圧力センサ工具、音響センサ工具、地震工具、核工具、パルス中性子工具、層サンプリング工具および誘導工具の少なくとも１つを含む、態様９６に記載の方法。
（態様１００）
供給することが、電力を連続的に供給すること及び周期的に供給することの少なくとも一方を含む、態様９６に記載の方法。
（態様１０１）
供給することが、負荷に交流（ＡＣ）を供給すること及び直流（ＤＣ）を供給することの少なくとも一方を含む、態様９６に記載の方法。
（態様１０２）
振動エネルギー発生機に対して、発生機を、ダウンホールが経験する振動の振動数に合わせることを更に含む、態様９６に記載の方法。